(57)【要約】【課題】  既設の片引きサッシをそのまま残存使用して断熱性や遮音性を有する改装片引き２重サッシを形成する。【解決手段】  既設片引きサッシ２の設置された改装開口面のコンクリート躯体１顎部１１に新設サッシ枠４１を固定することによって上記既設片引きサッシ２の室外側に新設片引きサッシ４を設置して，既設片引きサッシ２を残存使用して２重サッシ化する。既設サッシ戸２３と新設サッシ戸４３の縦框２３２，４３２にピース状複数の連結金具５によって同時開閉自在に連結する一方，該連結金具５をその着脱ネジ５４を外すことによって単独開閉自在としてサッシ戸の清掃をなし得るようにし，また連結金具５で連結することによって既設片引きサッシ２の既設クレセント２４の操作によって双方のサッシ戸２３，４３の一体の施開錠をなし得るようにする。【選択図】        図１
2006118290.tif 000002
【特許請求の範囲】
【請求項１】
改装開口面に残存した既設サッシ戸を嵌め殺し部室外側又は室内側で片引き開閉する既設片引きサッシの室外側に新設サッシ戸を同じく嵌め殺し部室外側又は室内側で片引き開閉するクレセント非設置の新設片引きサッシを配置するとともに上記既設サッシ戸と新設サッシ戸とを一体的に連結してこれらサッシ戸の同時開閉と既設サッシ設置の既設クレセント操作による一体施開錠とを自在とし且つ既設サッシ枠及び新設サッシ枠間を新設サッシ枠の室内側見付面に固定した気密材を既設サッシ枠の室外側見付面に対して対接してこれらサッシ枠間を気密に封止してなることを特徴とする既設サッシ残存使用の改装片引き２重サッシ。
【請求項２】
上記既設サッシ戸と新設サッシ戸の一体的な連結を，該連結部において室内側で解除自在として該一体的な連結の解除によって既設サッシ戸と新設サッシ戸の個別開閉を可能としてなることを特徴とする請求項１に記載の既設サッシ残存使用の改装片引き２重サッシ。
【請求項３】
上記既設サッシ戸と新設サッシ戸との一体的連結を，サッシ戸閉成方向戸当り側に位置する縦框間上下に配置した連結金具を用いて行なってなることを特徴とする請求項１又は２に記載の既設サッシ残存使用の改装片引き２重サッシ。
【発明の詳細な説明】
【技術分野】
【０００１】
本発明は改装サッシに関し，特に片引き開閉する既存サッシを残存使用して２重サッシに改装する既設サッシ残存使用の改装片引き２重サッシに関する。
【背景技術】
【０００２】
サッシ戸を嵌め殺し部室外側で片引き開閉するようにした所謂外動の片引きサッシ，同じくサッシ戸を嵌め殺し部室内側で片引き開閉するようにした所謂内動の片引きサッシ，中央に嵌め殺し部を配置して幅方向左右のサッシ戸を片引き開閉するようにした同じく外動及び内動の所謂両袖の片引きサッシ等の各種片引きサッシが知られている。
【０００３】
【非特許文献１】トステム株式会社２００３年３月発行                          「ビル用総合カタログ‘０３」２２頁〜４７頁
【発明の開示】
【発明が解決しようとする課題】
【０００４】
片引きサッシは一般に新築用に用いられるものとされているが，例えば斫り工法によって既設サッシを除去することによってこれに交換的に設置することも可能とされるが，この場合２重サッシ化の改装工事が大掛かりになるし，室内側の内装を行なう必要も生じ，例えばマンション，オフィス等の建物の使用目的に応じた使用を継続しながらその改装を行なうことはできないという問題点が残されている。
【０００５】
しかし乍ら，改装に際して既設サッシをそのまま残存して新設サッシを室外側に設置することによって断熱性，遮音性を確保するとともに使い勝手よく２重サッシ化をなし得れば，サッシの交換的設置が不要となり，廃棄物の減少をなし得るとともに低コストに断熱性，遮音性を確保した２重サッシ化のための改装工事を，建物の使用目的に応じた使用を継続しながら行なうことができるようになって都合がよい。
【０００６】
本発明はかかる事情に鑑みてなされたもので，その解決課題とするところは，片引き開閉する既設サッシを残存使用してその室外側に同じく片引き開閉する新設サッシを設置して使い勝手のよい既設サッシ残存使用の改装片引き２重サッシを提供するにある。
【課題を解決するための手段】
【０００７】
上記課題に添って本発明は，改装開口面に設置された既設片引きサッシを残存してその室外側にクレセント非設置の新設片引きサッシを配置するとともに既設サッシ戸と新設サッシ戸とを一体化してその同時開閉性と既設サッシに設置された既存のクレセントによる一体の施開錠性を確保する一方，新設サッシ枠に設置した気密材を既設サッシ枠に対接することによってサッシ枠間の気密性を確保し，断熱性，遮音性を確保して２重サッシ化を行なったものであって，請求項１に記載の発明を，改装開口面に残存した既設サッシ戸を嵌め殺し部室外側又は室内側で片引き開閉する既設片引きサッシの室外側に新設サッシ戸を同じく嵌め殺し部室外側又は室内側で片引き開閉するクレセント非設置の新設片引きサッシを配置するとともに上記既設サッシ戸と新設サッシ戸とを一体的に連結してこれらサッシ戸の同時開閉と既設サッシ設置の既設クレセント操作による一体施開錠とを自在とし且つ既設サッシ枠及び新設サッシ枠間を新設サッシ枠の室内側見付面に固定した気密材を既設サッシ枠の室外側見付面に対して対接してこれらサッシ枠間を気密に封止してなることを特徴とする既設サッシ残存使用の改装片引き２重サッシとしたものである。
【０００８】
請求項２に記載の発明は，上記に加えて，上記既設サッシ戸と新設サッシ戸の一体化を解除し得るようにして，一体化したサッシの清掃をなし得るように，これを，上記既設サッシ戸と新設サッシ戸の一体的な連結を，該連結部において室内側で解除自在として該一体的な連結の解除によって既設サッシ戸と新設サッシ戸の個別開閉を可能としてなることを特徴とする請求項１に記載の既設サッシ残存使用の改装片引き２重サッシとしたものである。
【０００９】
請求項３に記載の発明は，同じく上記に加えて，片引きサッシの２重サッシ化における既設サッシ戸と新設サッシ戸との一体化を好適な形態のものとするように，これを，上記既設サッシ戸と新設サッシ戸との一体的連結を，サッシ戸閉成方向戸当り側に位置する縦框間上下に配置した連結金具を用いて行なってなることを特徴とする請求項１又は２に記載の既設サッシ残存使用の改装片引き２重サッシとしたものである。
【００１０】
本発明はこれらをそれぞれ発明の要旨として上記課題解決の手段としたものである。
【発明の効果】
【００１１】
本発明は以上のとおりに構成したから，請求項１に記載の発明は，改装開口面に設置された既設片引きサッシを残存してその室外側にクレセント非設置の新設片引きサッシを配置するとともに既設サッシ戸と新設サッシ戸とを一体化してその同時開閉性と既設サッシに設置された既存のクレセントによる一体の施開錠性を確保する一方，新設サッシ枠に設置した気密材を既設サッシ枠に対接することによってサッシ枠間の気密性を確保して断熱性，遮音性を確保して使い勝手が良好にして廃棄物の減少をなし得るとともにオフィス，マンション等として使用目的に応じた建物の使用を継続しながら低コストの改装工事で得られるようにした既設サッシ残存使用の改装片引き２重サッシを提供することができる。
【００１２】
請求項２に記載の発明は，上記に加えて，上記既設サッシ戸と新設サッシ戸の一体化を解除し得るようにして，一体化のサッシの清掃をなし得る改装片引き２重サッシとすることができる。
【００１３】
請求項３に記載の発明は，同じく上記に加えて，片引きサッシの２重サッシ化における既設サッシ戸と新設サッシ戸との一体化を好適な形態のものとすることができる。
【発明を実施するための最良の形態】
【００１４】
以下図面の例に従って本発明を更に具体的に説明すれば，図１及び図２において，Ａは既設サッシ残存使用の改装片引き２重サッシであり，該２重サッシＡは，改装開口面に残存した既設サッシ戸２３を嵌め殺し部２２室外側又は室内側で片引き開閉する既設片引きサッシ２の室外側に新設サッシ戸４３を同じく嵌め殺し部４２室外側又は室内側で片引き開閉するクレセント非設置の新設片引きサッシ４を配置するとともに上記既設サッシ戸２３と新設サッシ戸４３とを一体的に連結してこれらサッシ戸２３，４３の同時開閉と既設片引きサッシ２設置の既設クレセント２４操作による一体施開錠とを自在とし且つ既設サッシ枠２１及び新設サッシ枠４１間を新設サッシ枠４１の室内側見付面に固定した気密材４１４を既設サッシ枠２１の室外側見付面に対して対接してこれらサッシ枠２１，４１間を気密に封止したものとしてある。
【００１５】
即ち既設片引きサッシ２は，サッシ幅方向一側室内側に嵌め殺し部２２を，他側室外側に片引き戸の既設サッシ戸２３を備えたアルミ製のものとしてあり，即ち該既設片引きサッシ２は，コンクリート躯体１にアンカー固定した上下の横枠２１１及び左右の縦枠２１２を枠組みした既設サッシ枠２１と，該既設サッシ枠２１の一側縦枠２１２と室内側中央に立設した召合枠２１３にガラス板を嵌合配置してサッシ幅方向一側の室内側片側に配置した嵌め殺し部２２と，本例にあって室外側に配置して該嵌め殺し部２２室外側に片引き開閉自在に配置した上下の横框２３１と左右の縦框２３２を框組みして同じくガラス板を嵌合配置した既設サッシ戸２３と，上記召合枠２１３と既設サッシ戸２３片の縦框２３２間に配置した召合部の既設クレセント２４とを備えた外動のものとしてあり，該既設片引きサッシ２は，改装に際してこれをそのまま残存使用したものとするとともに該既設片引きサッシ２の室内側の内装３もそのまま残存使用したものとしてある。
【００１６】
該既設片引きサッシ２の室外側に設置した新設片引きサッシ４は，同じくサッシ幅方向一側に嵌め殺し部４２を，他側に片引き戸の新設サッシ戸４３を備えたアルミ製にして上記既設片引きサッシ２と同種の片引きサッシとしてあり，即ち該新設片引きサッシ４は，上下の横枠４１１及び左右の縦枠４１２を枠組みした新設サッシ枠４１と，該新設サッシ枠４１と一側縦枠４１２と室内側中央に立設した召合枠４１３にガラス板を嵌合配置して上記既設片引きサッシ２と同一側のサッシ幅方向一側の室外側片側に配置した嵌め殺し部４２と，本例にあって室内側に配置して該嵌め殺し部４２の同じく室内側において片引き開閉自在に配置した，上下の横框４３１と左右の縦框４３２を框組みして同じくガラス板を嵌合配置した新設サッシ戸４３とを備えた内動のものとしてあり，このとき該新設片引きサッシ４は，召合部にクレセントを非設置として該新設サッシ戸４３の施錠をそれ自体不能としたものとしてある。
【００１７】
新設片引きサッシ４は，その新設サッシ枠４１を既設片引きサッシ２の室外側に改装開口面のコンクリート躯体１に対して，例えば半外付状態とするように固定することによって２重サッシ化を行ってあり，本例にあって新設サッシ枠４１は，例えばコンクリート躯体１に開口面方向に向けて突出形成されていることの多い顎部１１を切断除去することによって，新設片引きサッシ４を設置する開口を既設片引きサッシ２設置の開口と略同一面積として，該顎部１１除去跡のコンクリート躯体１にアンカーボルト１２を打ち込み，該アンカーボルト１２に新設サッシ枠４１取付用長尺の受金具１５を固定し，該受金具１５を介して新設サッシ枠４１をネジ止めし，また下枠部分にあっては既設片引きサッシ２の水切２１４をカバーするように配置した受部材１４を使用してこれにネジ止めしたものとしてある。
【００１８】
内動の該新設片引きサッシ４の固定は，その嵌め殺し部４２を室外側に，新設サッシ戸４３を室内側に位置し且つ嵌め殺し部４２が内動の既設片引きサッシ２とサッシ幅方向同一側に位置するように，その嵌め殺し部４２及び新設サッシ戸４３を上記既設片引きサッシ２における嵌め殺し部２２及び既設サッシ戸２３と室内外方向に逆配置状態とするようにその設置を行って，新設サッシ戸４２と既設サッシ戸２２が近接して嵌め殺し部２２，４２間の中央部に位置するようにその配置を行ったものとしてある。
【００１９】
このとき本例にあって上記嵌め殺し部２２，４２間中央部に配置した既設片引きサッシ２及び新設片引きサッシ４とは，その一体的連結を，サッシ戸２３，４３閉成方向戸当り側に位置する縦框２３２，４３２間上下に配置した連結金具５を用いて行なってあり，本例にあって該連結金具５は，近接した既設サッシ戸２３と新設サッシ戸４３の縦框２３２，４３２間の間隔に応じた幅にして，例えば数ｃｍ程度の高さとしたピース部材によるものとし，これを双方の縦框２３２，４３２に，例えばネジ止めすることによって行ってあり，本例の連結金具５は，例えば平面Ｓ字状，コ字状等の形状をなすことによってその平行な各固定片５１を既設サッシ戸２３の縦框２３２室外側の見付面及び新設サッシ戸４３の縦框４３２室内側の見付面とにネジ５３止めして該見付面を上下方向に複数の箇所で一体化したものとしてあり，これによって既設サッシ戸２３と新設サッシ戸４３を，室内側の開閉操作によって同時開閉自在とし，また既設サッシ戸２３の既設クレセント２４操作によって一体施開錠自在として，改装片引き２重サッシＡの同時開閉と一体施開錠を常態したものとしてある。
【００２０】
このとき本例の上記一体的な連結は，これを該連結部において室内側で解除自在として該一体的な連結の解除によって既設サッシ戸２３と新設サッシ戸４３の個別開閉を可能としたものとしてあり，即ち上記平面Ｓ字状，コ字状等の形状とした本例の連結金具５を，その上記平行な各固定片５１から起立した見付面と交差方向の連結片を室内外中間位置で分離した一対のＬ字状金具部材によって形成し，該Ｌ字状金具部材の起立片５２を既設サッシ戸２３と新設サッシ戸４３の中間で重合して，例えば上下に複数の着脱ネジ５４によってネジ止めすることによって上記平面Ｓ字状，コ字状等として，これら既設サッシ戸２３と新設サッシ戸４３の一体的な連結を行なう一方，該着脱ネジ５４を外すことによってその連結を解除して，上記同時開閉を自在とする改装片引き２重サッシＡにおいて必要に応じて既設サッシ戸２３と新設サッシ戸４３の個別の開閉を自在としたものとしてある。
【００２１】
該着脱ネジ５４のネジ止めは，本例にあって一体化した状態でサッシ戸２３，４３をやや開成することによって室内側からその操作をなし得るように，既設サッシ戸２３と新設サッシ戸４３の連結した縦框２３２，４３２における閉成方向戸当り側にネジ操作部，本例にあってはネジ頭が位置するようにしてあり，また該着脱ネジ５４のネジ止めは上記平面Ｓ字状，コ字状等をなす一対のＬ字状金具部材の起立片５２が，新設サッシ戸４３側において該閉成方向戸当り側の外側に，既設サッシ戸２３側においてその内側に位置することによって，室外側に位置する新設サッシ戸４３側からの着脱ネジ５２を既設サッシ戸２３側に螺入締着するようにその重合を行なってあり，これにより着脱ネジ５２を外した状態で既設サッシ戸２３を開成して室外側の新設サッシ戸４３ガラス板の室内面側の清掃をなし得るようにし，また着脱ネジ５４を外した開成状態から既設サッシ戸２３を閉成することによって新設サッシ戸２３を同時に押圧してその閉成をなし得るようにしてある。
【００２２】
既設サッシ枠２１と新設サッシ枠４１間の気密材４１４は，新設サッシ枠４１の横枠４１１及び縦枠４１２の室内側見付面にＣ字状の受溝を形成し，該受溝に基部を嵌着することによって気密材４１４を室内側に向けて突設配置し，その先端を既設サッシ枠２１の各横枠２１１及び縦枠２１２の室外側見付面を一連に囲繞するように該見付面に突き当て圧接状に対接することによって双方の見付面間を該気密材４１４によって気密に封止してあり，新設サッシ枠４１と新設サッシ戸４３間の気密材による気密封止と相俟って改装片引き２重サッシＡの断熱性及び遮音性を確保し，該気密の封止によって既設片引きサッシ２，特にサッシ枠２１の結露発生を抑制し，またその防塵性を確保し得るようにしてある。
【００２３】
図３及び図４は，他の例を示すもので，本例にあっては上記コンクリート躯体１に開口面方向に向けて突出形成されていることの多い顎部１１をそのまま残存し，該顎部１１に新設サッシ枠４１を対接してコンクリート釘等の固定部材１３を用いてその固定を行なったものとしてあり，また下枠部分にあっては既設片引きサッシ２の水切２１４をカバーするように配置した同様の受部材１４を使用してこれに同じくネジ止めしたものとしてある。図３及び図４のその余は上記例と変らないので同一符合を付して重複する説明を省略する。
【００２４】
図中５５はコンクリート躯体１等と新設サッシ枠４１間等のコーキングを示す。
【００２５】
このように形成した改装片引き２重サッシＡは，既設片引きサッシ２を室外側で新設片引きサッシ３が覆って，この間のサッシ２重化による断熱性，遮音性を確保するとともに新設サッシ枠４１に設置した気密材４１４を既設サッシ枠２１に対接してこれらサッシ枠２１，４１間の気密性を確保することによって断熱性，遮音性を更に向上したものとすることができ，また既設サッシ戸２３と新設サッシ戸４３とを一体化してその同時開閉性と既設片引きサッシ２に設置された既存クレセント２４による一体の施開錠性を確保して使い勝手を良好としたものとしてある。このとき既設片引きサッシ２はこれをそのまま残存使用したから，資源の有効利用を図るとともに改装工事に伴う廃棄物を可及的に減少することが可能となり，更に改装工事は既設片引きサッシ２の残存使用によってその室外側で新設片引きサッシ４を設置すればよいから，改装工事を低コストでなし得るとともにオフィス，マンション等としての使用目的に応じた建物の使用を継続しながらの改装工事によって２重サッシ化の改装を完了することができる。
【００２６】
図示した例は以上のとおりとしたが，内動の既設片引きサッシに同じく内動の新設片引きサッシを用いてその２重サッシ化を行なうようにすること，両袖の既設片引きサッシに同様に内動又は外動の新設片引きサッシを設置してその２重サッシ化を行なうようにすること，新設サッシに引違いサッシを用いて，その一方のサッシ戸を既設片引きサッシの嵌め殺し部に対して一体的に連結することによって該一方のサッシ戸によって嵌め殺し部を形成することによって既設片引きサッシ戸の室外側に設置して２重サッシ化を行なうようにすること，連結金具を既設サッシ戸と新設サッシ戸の縦框長さに合せた長尺のものとして同様に双方の縦框に設置することによってその解除自在の一体的な連結を行なって該縦框間を封鎖することによって嵌め殺し部への塵埃侵入を防止してガラス板の汚れを防止するようにし，このとき長手方向に複数箇所に上記着脱ネジを設置して一体的な連結と連結の解除をなし得るようにすること，一体的な連結を既設サッシ戸と新設サッシ戸の上下又はその一方の横框戸先側に連結金具を同様に設置して上下方向のネジでその解除をなし得るようにすること等を含めて，本発明の実施に当って既設片引きサッシ，新設片引きサッシ，既設サッシ戸と新設サッシ戸の一体的な連結，気密材，連結金具等の各具体的形状，構造，材質，これらの関係，これらに対する付加等は，上記発明の要旨に反しない限り様々な形態のものとすることができる。
【図面の簡単な説明】
【００２７】
【図１】改装片引き２重サッシの横断面図である。
【図２】改装片引き２重サッシの縦断面図である。
【図３】他の例の改装片引き２重サッシの横断面図である。
【図４】図３の改装片引き２重サッシの縦断面図である。
【符号の説明】
【００２８】
Ａ  改装片引き２重サッシ
１  コンクリート躯体
２  既設片引きサッシ
２１  既設サッシ枠
２２  嵌め殺し部
２３  既設サッシ戸
２４  クレセント
３  内装
４  新設片引きサッシ
４１  新設サッシ枠
４２  嵌め殺し部
４３  新設サッシ戸
４１４  気密材
５  連結金具
５１  固定片
５２  起立片
５４  着脱ネジ
【図１】
2006118290.tif 000003
【図２】
2006118290.tif 000004
【図３】
2006118290.tif 000005
【図４】
2006118290.tif 000006